(57)【特許請求の範囲】
【請求項１】
出力手段の姿勢を検知する姿勢検知手段と、
前記出力手段にて画面表示する各オブジェクトについて、表示用データ、表示の契機、表示方向、表示位置の設定情報、および提示対象者の属性情報を格納した記憶手段と、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、前記各オブジェクトの表示位置において該当表示方向に向けた各オブジェクトの表示を行う処理と、
前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、
前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、
を実行する演算手段と、
を備えることを特徴とする情報提示システム。
【請求項２】
前記演算手段は、
前記特定した各オブジェクトの表示用データを記憶手段より読み出し、出力手段の画面中で、各オブジェクトの表示位置において該当表示方向に向けた各オブジェクトの表示を行い、該表示したオブジェクトないし前記画面中の所定領域に対する入力手段を介したユーザの指示を検知した場合、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、各オブジェクトの表示位置において該当表示方向に向けた各オブジェクトの表示を行う処理とを実行する、
ことを特徴とする請求項１に記載の情報提示システム。
【請求項３】
前記演算手段は、
前記特定した各オブジェクトの表示用データを記憶手段より読み出し、出力手段の画面中で、各オブジェクトの表示位置において該当表示方向に向けた各オブジェクトの表示を行い、該表示しているオブジェクトの所定箇所に対する、入力手段を介したユーザの表示属性変化の指示を検知した場合、前記指示の対象であり、画面中で表示中の各オブジェクトの所定箇所に関し、その表示属性を各オブジェクトを跨って同様に変化させる、
ことを特徴とする請求項１または２に記載の情報提示システム。
【請求項４】
出力手段の姿勢を検知する姿勢検知手段と、前記出力手段にて画面表示する各オブジェクトについて、表示用データ、表示の契機、表示方向、表示位置の設定情報、および提示対象者の属性情報を格納した記憶手段と、演算手段とを備えた情報処理装置が、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、前記各オブジェクトの表示位置において該当表示方向に向けた各オブジェクトの表示を行う処理と、
前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、
前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、
を実行することを特徴とする情報提示方法。
【請求項５】
出力手段の姿勢を検知する姿勢検知手段と、前記出力手段にて画面表示する各オブジェクトについて、表示用データ、表示の契機、表示方向、表示位置の設定情報、および提示対象者の属性情報を格納した記憶手段と、演算手段とを備えた情報処理装置に、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、前記各オブジェクトの表示位置において該当表示方向に向けた各オブジェクトの表示を行う処理と、
前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、
前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、
を実行させることを特徴とする情報提示プログラム。
【発明の詳細な説明】
【技術分野】
【０００１】
本発明は、情報提示システム、情報提示方法、および情報提示プログラムに関するするものであり、具体的には、利用者間で異なる形態による情報提示を効率良く実行する技術に関する。
【背景技術】
【０００２】
コストやサイズが低減され、コンピュータ端末やディスプレイ装置等の広範な導入がしやすくなるにつれ、コンピュータ端末等を利用した、店舗窓口での顧客対応や客先での営業活動等の支援技術が提案されている。こうした技術としては、例えば、製品に関する測定した性能データを蓄積する基礎データベースと、該基礎データベースとネットワークを介してアクセスする資料作成装置と、該資料作成装置で前記基礎データベースのデータをアレンジして作成した顧客提示用資料を蓄積する資料データベースと、該資料データベースにネットワークを介してアクセスし、前記資料データベースに蓄積した顧客提示用資料より必要な資料を取り出す営業端末機と、を有したことを特徴とする営業支援システム（特許文献１参照）などが提案されている。
【０００３】
また、営業担当者の経験や知識が不十分な場合であっても営業現場での商品説明を円滑に行うことのできる営業支援システムを提供するとの課題の下、固定的に設置されてインターネットに接続された受発注端末とインターネットに接続可能な営業担当者用携帯端末との間で情報の遣り取りを行って営業現場での作業を支援する営業支援システムであって、前記営業担当者用携帯端末にディスプレイと動画・音声再生機能を配備する一方、前記受発注端末には、商品情報を動画・音声で登録した商品情報データベースを配備し、前記受発注端末によって前記商品情報データベースから商品情報を読み出し、インターネットを介して営業先の前記営業担当者用携帯端末に送信し、該営業担当者用携帯端末のディスプレイと動画・音声再生機能を利用して商品情報を動画・音声で顧客に提示することを特徴とした営業支援システム（特許文献２参照）なども提案されている。
【先行技術文献】
【特許文献】
【０００４】
【特許文献１】特開２００１−３５０９０２号公報
【特許文献２】特開２００１−３５０９０２号公報
【発明の概要】
【発明が解決しようとする課題】
【０００５】
従来においては、例えば、サービス提供企業の担当者が操作する端末画面を顧客にも提供し、必要な情報提示を行う状況があった。こうした手法を採用する従来技術の場合、担当者と顧客とで開示の可否や必要性、或いは処理内容が異なるはずの情報を、どちらにも同じ形態で提示してしまう事態が生じる。また、業務が進む毎にディスプレイ装置を顧客側に向け、該当業務が終了すればディスプレイ装置を担当者側に向けなおしたりするなど、情報提示の動作に手間がかかり、スムーズな顧客対応の妨げとなる可能性もあった。こうした従来技術を採用した場合、当然ながら顧客対応や営業支援の効率、精度も低下してしまう恐れがある。
【０００６】
そこで本発明の目的は、利用者間で異なる形態による情報提示を効率良く実行する技術を提供することにある。
【課題を解決するための手段】
【０００７】
上記課題を解決するために、本発明では、情報処理装置の複数のオブジェクトを、当該オブジェクトの特性に応じた方向で表示するものである。ここで、このオブジェクトの特性としては、オブジェクトを表示する表示画面の内容、表示対象者、ユーザの指示やオブジェクトの内容がある。
【０００８】
また、上記の特性に応じて、オブジェクトを自動的に隠すなどの表示制御や、方向が異なるオブジェクトについて、関連するものを連動して表示する（色付けなど）ことも含まれる。また、本発明には、それぞれ異なるユーザ向けの２以上の表示領域を設け、その少なくとも１つに当該表示領域とは別の表示領域のユーザ（他ユーザ）向けのオブジェクトを、他ユーザの方向に表示することも含まれる。これは、第１のユーザ領域と第２のユーザ領域の境界線をまたいで、そのオブジェクト表示することになる。また、この際、このオブジェクトとして、当該情報処理装置を操作するための操作エリアであることも、本発明に含まれる。
【０００９】
より詳細には、上記課題を解決する本発明の情報提示システムは、出力手段の姿勢を検知する姿勢検知手段と、前記出力手段にて画面表示する各オブジェクトについて、表示用データ、表示の契機、表示方向、表示位置の設定情報、および提示対象者の属性情報を格納した記憶手段と、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の画面中で、前記各オブジェクトの表示位置において該当表示方向に向けた各オブジェクトの表示を行う処理と、前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、を実行する演算手段とを備えることを特徴とする。この際、表示する画面は１画面中に各々オブジェクトを表示することがより好適である。
【００１０】
また、本発明の情報提示方法は、出力手段の姿勢を検知する姿勢検知手段と、前記出力手段にて画面表示する各オブジェクトについて、表示用データ、表示の契機、表示方向、表示位置の設定情報、および提示対象者の属性情報を格納した記憶手段と、演算手段とを備えた情報処理装置が、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の画面中で、前記各オブジェクトの表示位置において該当表示方向に向けた各オブジェクトの表示を行う処理と、前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、を実行することを特徴とする。
【００１１】
また、本発明の情報提示プログラムは、出力手段の姿勢を検知する姿勢検知手段と、前記出力手段にて画面表示する各オブジェクトについて、表示用データ、表示の契機、表示方向、表示位置の設定情報、および提示対象者の属性情報を格納した記憶手段と、演算手段とを備えた情報処理装置に、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の画面中で、前記各オブジェクトの表示位置において該当表示方向に向けた各オブジェクトの表示を行う処理と、前記姿勢検知手段から出力手段の姿勢情報を取得し、出力手段の姿勢変化を検知した場合、前記表示を行っている各オブジェクトの表示方向が該当オブジェクト間で異なるか、または、前記表示を行っている所定オブジェクトに関する提示対象者の属性情報が複数種類あるか判定する処理と、前記判定の結果が、前記表示方向が該当オブジェクト間で異なる、ないし、前記所定オブジェクトに関する提示対象者の属性情報が複数種類あるとのものであった場合には、前記出力手段の姿勢変化によらず該当オブジェクトの表示方向を維持し、前記表示方向が該当オブジェクト間で同一、ないし、前記所定オブジェクトに関する提示対象者の属性情報が１種類であった場合には、前記出力手段の姿勢変化に応じて前記各オブジェクトの表示方向を所定角度回転させる処理と、を実行させることを特徴とする。
【発明の効果】
【００１２】
本発明によれば、利用者間で異なる形態による情報提示を効率良く実行することが可能となる。
【図面の簡単な説明】
【００１３】
【図１】本実施形態の情報提示システムを含むネットワーク構成図である。
【図２】本実施形態におけるサーバおよびタッチパネル端末の構成例を示す図である。
【図３】本実施形態の情報提示システムが利用するテーブル類のデータ構造例を示す図である。
【図４】本実施形態における情報提示方法の手順例１を示すフロー図である。
【図５】本実施形態における情報提示方法の手順例２〜４を示すフロー図である。
【図６】本実施形態における画面例１を示す図である。
【図７】本実施形態における画面例２を示す図である。
【図８】本実施形態における画面例３を示す図である。
【図９】本実施形態における画面例４を示す図である。
【図１０】本実施形態における画面例５を示す図である。
【図１１】本実施形態における画面例６を示す図である。
【図１２】本実施形態における画面例７を示す図である。
【図１３】本実施形態における画面例８を示す図である。
【発明を実施するための形態】
【００１４】
−−−システム構成−−−
以下に、本発明の実施形態について図面を用いて詳細に説明する。図１は、本実施形態の情報提示システム１０を含むネットワーク構成図である。図１に示す情報提示システム１０（以下、システム１０）は、利用者間で異なる形態による情報提示を効率良く実行するコンピュータシステムである。ここでは一例として、本実施形態の情報提示システム１０を、例えば、前記金融機関の営業店等で顧客対応用に利用されるタッチパネル端末１１０で構成する状況を想定し説明を行う。前記タッチパネル端末１１０は、タッチパネル方式のディスプレイすなわち、入力手段および出力手段を備えた情報処理装置と言える。このタッチパネル端末１１０は、処理に必要なデータについて、前記金融機関が運営するサーバ１００に問い合わせを行って随時取得できるものとする。つまり、前記サーバ１００がタッチパネル端末１１０の記憶手段の１つとなっている状況である。
【００１５】
こうした金融機関の営業店を訪れてサービスの提供を受ける顧客は、窓口担当者からタッチパネル端末１１０の画面を見せられて、金融商品などに関する説明を受け、自らの意思に応じた処理を確実かつ効率良く進めることが出来る。
【００１６】
本実施形態では金融機関への適用を例示するが、勿論こうした態様に本発明の適用先が限定されることはない。本発明は、複数の利用者が対面で何かしらの処理を進める状況であればいずれも適用可能であり、例えば、教師と学生との間で学習コンテンツの利用を行う教育機関、顧客対応や社員教育等の業務処理を行う金融機関以外の企業、医師から患者への診察内容等の説明を行う医療機関、金融機関の他、不動産、貴金属などの取引といった対面で各種予約業務を実行する運輸や旅行、イベント管理の企業、他、企業、公共団体などの組織内での意見交換など種々に適用できる。また、窓口としても金融機関以外の公共機関の窓口などへの適用も可能である。
【００１７】
本実施形態のシステム１０において、前記サーバ１００と前記タッチパネル端末１１０は、ネットワーク１４０を介して接続されている。前記タッチパネル端末１１０は、前記サーバ１００と通信し、該サーバ１００が記憶手段１０１で具備する、本実施形態の情報提示方法の実行に必要なデータ類を適宜読み取って、処理に用いることができる。勿論、情報提示システムとして、タッチパネル端末１１０が必要なデータ類を全て自らの記憶手段１１１に備えておいて、スタンドアロンで情報提示方法を実行する態様も想定できる。この場合、タッチパネル端末１１０のみで前記システム１０を構成することになる。
【００１８】
図２は、本実施形態におけるサーバ１００およびタッチパネル端末１１０の構成例を示す図である。続いて、前記システム１０を構成する装置のハードウェア構成例について説明する。
【００１９】
前記サーバ１００は、前記タッチパネル端末１１０と協働するためのプログラム１１２をハードディスクドライブ等の不揮発性記憶装置で構成される記憶手段１０１に保持しており、ＣＰＵ等で構成される演算手段１０４が前記プログラム１１２をメモリ１０３に読み出して実行し、必要な機能を実装することになる。また、サーバ１００は、ＮＩＣ（Network Interface Card）などネットワーク１４０を介して前記タッチパネル端末１１０と通信をするための通信手段１０５を備えている。なお、前記記憶手段１０１には、前記プログラム１１２の他に、テーブル１２５、および認証用生体情報１２６が記憶されている。
【００２０】
なお、前記テーブル１２５は、図３に例示するように、タッチパネル端末１１０のタッチパネル１１６にて画面表示する各オブジェクトについて、オブジェクトＩＤをキーとして、表示の契機、方向、および位置の設定情報を格納したテーブルとなる。当該テーブル１２５は、タッチパネル１１６で表示される画面毎（例；画面Ａ、画面Ｂ・・・）に設定されている。
【００２１】
またこのテーブル１２５において、各オブジェクトに関し、その提示対象者の属性情報（例：行員、顧客）を更に格納しているとしてもよい。図３に示すテーブル１２５の例では、オブジェクトＩＤをキーとして、該当オブジェクトを表示すべきイベント（契機）、方向、位置、主従関係、および提示対象者の属性情報といったデータを対応付けたレコードの集合体となっている。
【００２２】
オブジェクトを表示すべきイベント（契機）としては、例えば、所定のプログラム開始／終了、タッチパネル画面における所定領域に対する動作（例：長押し、タップ等）、所定オブジェクトの所定領域ないし他オブジェクトへのドラッグ、といったものが想定できる。また、オブジェクトを表示すべき方向としては、例えば、タッチパネル１１６の画面上における所定方向を「正」＝顧客側とし、これとは逆の方向を「逆」＝行員側としている。また、オブジェクトを表示すべき位置としては、例えば、タッチパネル１１６の画面上を座標平面として捉えた場合の、各オブジェクトの表示座標値を想定できる。
【００２３】
また、オブジェクトの主従関係は、該当画面におけるオブジェクト間の決められた表示順序を定めた情報となる。例えば、オブジェクトＩＤ"００１"のオブジェクトが表示されている間、同画面上における"領域Ａ"が長押しされた場合に、前記オブジェクトＩＤ"００１"のオブジェクトを「主」とし「従」の立場にある、オブジェクトＩＤ"００２"のオブジェクトが表示される、といった関係を示している。
【００２４】
また、オブジェクトの提示対象者の属性情報は、該当オブジェクトが誰に対して表示されるべきものかを示す情報となる。図３に示す例では、この提示対象者の属性情報として、「行員」、「顧客」、「顧客、行員」の情報が設定されている。オブジェクトの提示対象者の属性情報が「行員」の場合、行員のみがタッチパネル端末１１０を閲覧する状況が想定されている。また、オブジェクトの提示対象者の属性情報が「顧客」の場合、顧客のみがタッチパネル端末１１０を閲覧する状況が想定されている。また、オブジェクトの提示対象者の属性情報が「顧客、行員」の場合、顧客と行員の両者がタッチパネル端末１１０を閲覧する状況が想定されている。
【００２５】
また、前記認証用生体情報１２６は、タッチパネル端末１１０の利用者として事前登録されているユーザの認証用の生体情報である。この認証用生体情報１２６としては、ユーザの静脈、指紋、虹彩、顔画像、筆跡といった各種生体情報などが想定できる。図３に示す認証用生体情報１２６の例では、ユーザＩＤをキーとして、該当ユーザの属性（例：行員か顧客）、および認証パターンを対応付けたレコードの集合体となっている。認証パターンは、ユーザから得られる生の生体情報について、所定のアルゴリズムを適用して取得した特徴点データなどである。
【００２６】
ここで述べたテーブル１２５および認証用生体情報１２６は、サーバ１００の備える記憶手段１０１、或いはタッチパネル端末１１０の記憶手段１１１、またはネットワーク経由でタッチパネル端末１１０が利用可能なハードディスクドライブなどの不揮発性記憶装置において格納されている。図２では、テーブル１２５および認証用生体情報１２６が、サーバ１００とタッチパネル端末１１０のいずれにも保持されている例を示しているが、少なくともいずれか一方の装置が備えていればよい。
【００２７】
一方、前記タッチパネル端末１１０は、前記サーバ１００と協働し本実施形態の情報提示方法を実行するためのプログラム１１２をハードディスクドライブ等の不揮発性記憶装置で構成される記憶手段１１１に保持しており、ＣＰＵ等で構成される演算手段１１４が前記プログラム１１２をメモリ１１３に読み出して実行し、必要な機能を実装することになる。また、タッチパネル端末１１０は、ＮＩＣ（Network Interface Card）などネットワーク１４０を介して前記サーバ１００と通信をするための通信手段１１５を備えている。また、タッチパネル端末１１０として当然ながら、タッチパネル１１６（＝入力手段および出力手段）を備えている。
【００２８】
なお、タッチパネル端末１１０は、ユーザの認証や識別に用いる生体情報センサー１１８を備えるとしてもよい。生体情報センサー１１８は、センシングする生体情報によって種々のものを採用できる。例えば、静脈パターン、指紋、筆跡等を読み取るセンサー、或いは、顔画像、虹彩を読み取る撮像装置、などがあげられる。この場合、タッチパネル端末１１０は、記憶手段１１１（ないしサーバ１００の記憶手段１０１）において、当該タッチパネル端末１１０の利用者として事前登録されているユーザの前記認証用生体情報１２６を保持している。タッチパネル端末１１０は、この認証用生体情報１２６と、前記生体情報センサー１１８から得た生体情報との照合処理を実行して、ユーザ認証を行うこととなる。
【００２９】
なお、ユーザ認証として、生体認証を例に挙げたが、ＩＣカードといった媒体ないしパスワード、暗証番号を利用した認証を行っても構わない。
【００３０】
続いて、本実施形態の情報提示システム１０として前記タッチパネル端末１１０が備える機能について説明する。上述したように、以下に説明する機能は、例えば前記タッチパネル端末１１０が備えるプログラム１１２を実行することで実装される機能と言える。
【００３１】
前記システム１０を構成するタッチパネル端末１１０は、所定プログラム（例：所定金融商品の紹介や提案、顧客情報の収集、利益等のシミュレーション、クロージングなどの各種プログラム等）の実行ないし、タッチパネル１１６で受けたユーザの指示を検知し、該検知の内容を、前記サーバ１００の記憶手段１０１（のテーブル１２５）における前記設定情報に照合して、前記検知の内容が表示契機に合致するオブジェクト、該合致するオブジェクトの表示方向および表示位置を特定する機能を有する。
【００３２】
また、前記システム１０を構成するタッチパネル端末１１０は、前記特定した各オブジェクトの表示用データを、前記サーバ１００の記憶手段１０１より読み出し、タッチパネル１１６の１画面中で、各オブジェクトの表示位置において該当表示方向に向けた各オブジェクトの表示を行う機能を有する。
【００３３】
なお、前記タッチパネル端末１１０は、タッチパネル１１６の姿勢を検知する姿勢検知手段を備えているとすれば好適である。この姿勢検知手段の例としては、加速度センサー１１７が想定できる。この場合、前記システム１０を構成するタッチパネル端末１１０は、前記姿勢検知手段である加速度センサー１１７から、タッチパネル１１６の姿勢情報を取得し、タッチパネル１１６の姿勢変化に応じて前記オブジェクトの表示方向を所定角度回転させる機能を有する。例えば、タッチパネル１１６の姿勢情報により、タッチパネル１１６の姿勢が縦置きから横置きに変化した場合、タッチパネル端末１１０は、これに応じてオブジェクトの表示方向をそれまでより９０度回転させる。なお、回転角度は、９０度以外であっても構わない。特に、対面業務においては、１８０度回転が好適である。
【００３４】
また、前記タッチパネル端末１１０は、前記検知の内容が表示契機に合致するとして特定したオブジェクトの表示方向が、該当オブジェクト間で異なった場合、ないし、前記特定したオブジェクトに関する提示対象者の属性情報（前記テーブル１２５で特定出来る）が複数種類あった場合、タッチパネル１１６の姿勢変化によらず前記オブジェクトの表示方向を維持する機能を有するとしてもよい。
【００３５】
また、前記タッチパネル端末１１０は、前記検知の内容が表示契機に合致するとして特定したオブジェクトの表示方向が、該当オブジェクト間で同一であった場合、ないし、前記特定したオブジェクトに関する提示対象者の属性情報が１種類であった場合に、タッチパネル端末１１０の姿勢変化に応じて前記オブジェクトの表示方向を所定角度回転させる機能を有するとしてもよい。
【００３６】
また、前記タッチパネル端末１１０は、前記検知の内容が表示契機に合致するとして特定した各オブジェクトの表示用データを、前記サーバ１００の記憶手段１０１より読み出し、タッチパネル１１６の１画面中で、各オブジェクトの表示位置において該当表示方向に向けた各オブジェクトの表示を行い、該表示したオブジェクトないし前記画面中の所定領域に対するタッチパネル１１６を介したユーザの指示を検知した場合、該検知の内容を、サーバ１００の記憶手段１０１（のテーブル１２５）における前記設定情報に照合して、前記検知の内容が表示契機に合致するオブジェクト、該合致するオブジェクトの表示方向および表示位置を特定する機能を有するとしてもよい。
【００３７】
この場合、前記タッチパネル端末１１０は、前記特定した各オブジェクトの表示用データを、前記サーバ１００の記憶手段１０１より読み出し、タッチパネル１１６の１画面中で、各オブジェクトの表示位置において該当表示方向に向けた各オブジェクトの表示を行う機能を有することとなる。
【００３８】
また、前記タッチパネル端末１１０は、前記検知の内容が表示契機に合致するとして特定した各オブジェクトの表示用データを、前記サーバ１００の記憶手段１０１より読み出し、タッチパネル１１６の１画面中で、各オブジェクトの表示位置において該当表示方向に向けた各オブジェクトの表示を行い、該表示しているオブジェクトの所定箇所に対する、タッチパネル１１６を介したユーザの表示属性変化の指示を検知した場合、前記指示の対象であり、１画面中で表示中の各オブジェクトの所定箇所に関し、その表示属性を各オブジェクトを跨って同様に変化させる機能を有するとしてもよい。
【００３９】
−−−処理手順例−−−
以下、本実施形態における情報提示方法の実際手順について図に基づき説明する。以下で説明する情報提示方法に対応する各種動作は、前記システム１００を構成するタッチパネル端末１１０が記憶手段１１１から読み出して実行するプログラム１１２によって実現される。そして、このプログラム１１２は、以下に説明される各種の動作を行うためのコードから構成されている。
【００４０】
図４は本実施形態における情報提示方法の手順例１を示すフロー図である。まず、顧客が金融機関の営業店を訪れ、窓口にて行員と対面する状況を想定する。この時、行員は、タッチパネル端末１１０を起動させ、顧客対応の業務を開始したとする。
【００４１】
起動されたタッチパネル端末１１０は、当該起動動作に伴う所定プログラムの実行を受けて、前記「所定プログラム」の「実行」を契機として読み出すべき、オブジェクトとその表示方向、表示位置のデータを前記テーブル１２５から読み出す（ｓ１００）。また、タッチパネル端末１１０は、ここで読み出した前記オブジェクトを、前記表示位置のデータが示す、タッチパネル１１６の画面上における位置にて、前記表示方向のデータが示す向きで表示させる（ｓ１０１）。表示方向のデータが示す向きは、一例として次のように考えることができる。例えば、タッチパネル１１６の画面を４辺からなる矩形のｘｙ座標平面と捉えた場合に、ある辺のｙ座標値が"０"で、対面の辺のｙ座標値が"６００"だったとする。この時、表示すべきオブジェクトの表示方向が「正」であれば、該オブジェクトの所定端のｙ座標値が"０"になる向きとし、該オブジェクトの表示方向が「逆」であれば、オブジェクトの所定端のｙ座標値が"６００"になる向きとすることになる。
【００４２】
ここで表示させたオブジェクトは、例えば、「生体認証を行いますので、センサに対し所定姿勢をとってください」等のメッセージを示すオブジェクトとなる。また、タッチパネル端末１１０は、生体情報センサ１１８を稼働させ、前記行員の生体情報を取得する（ｓ１０２）。
【００４３】
勿論、こうしたユーザ認証の為の情報取得は、認証用の電子証明書等が書き込まれたＩＣチップのリーダーなど他の認証情報の取得手段（タッチパネル端末１１０が具備）にて行っても良い。
【００４４】
タッチパネル端末１１０は、行員について取得した生体情報を、記憶手段１１１（ないしサーバ１００の記憶手段１０１）に保持する認証用生体情報１２６と照合し、予め登録された正当な行員であるか判定する（ｓ１０３）。ここで正当な行員でないと判定した場合（ｓ１０３：ＮＧ）、タッチパネル端末１１０は処理を終了するか、前記ステップｓ１００にフローを戻す。
【００４５】
他方、前記ステップｓ１０３において、正当な行員であると判定した場合（ｓ１０３：ＯＫ）、タッチパネル端末１１０は、前記ステップｓ１０２で取得していた生体情報のうち、例えば、顔画像データに関して、所定の顔画像解析機能（プログラム１１２が実現する機能の１つ）により、前記行員の顔の向きを判定する（ｓ１０４）。こうした顔画像の解析は既存の顔解析技術を採用すればよい。
【００４６】
行員の顔の向きを判定したタッチパネル端末１１０は、記憶手段１１１（ないしサーバ１００の記憶手段１０１）に予め保持する初期画面データを読み出して、前記ステップｓ１０４で判定した行員の顔の向きに応じて、行員に正対する向きにタッチパネル１１６の画面上に表示する（ｓ１０５）。この初期画面データも、前記テーブル１２５で管理するオブジェクトの１つと捉えることもできる。この場合、前記テーブル１２５における前記初期画面データのレコードには、イベント（契機）として「顔画像判定済み」、表示の方向として「逆」、表示の位置としてタッチパネル１１６の画面中央の座標値、主従関係として「主」、提示対象者の属性情報として「行員」といった情報が対応付けされている。
【００４７】
例えば、この初期画面の例としては、図６に示す画面１０００となる。この画面１０００は、顧客の来店目的をヒアリングする画面であり、提示対象者の属性情報について上述したように行員のみ利用するものである。行員は来店した顧客から、例えば、定期預金の予算や目的などについてヒアリングし、タッチパネル１１６の画面上でのデータ入力作業を行うことになる。
【００４８】
前記画面１０００に基づくヒアリングを終えた行員が、タッチパネル１１６の画面上で例えば「開始」ボタン＝オブジェクトをタッチしたとする。すると、タッチパネル端末１１０は、前記画面１０００での行員からの入力データに基づいて、例えば、「商品Ｂ」に関するオブジェクトを前記テーブル１２５から読み出し、該当オブジェクトの表示位置および表示方向に基づいたタッチパネル１１６の画面上での表示を行う（ｓ１０６）。以下、タッチパネル１１６の画面上でオブジェクトや所定領域に対するイベントが発生する毎に、タッチパネル端末１１０は同様の処理を繰り返すものとする。なお、ここでは、行員が定期預金の目的、希望などヒアリングし、これに対する入力（例えば、利率や期間）を行うことで「商品Ｂ」を特定し、これのオブジェクトを読み出す。
【００４９】
ここでは、図７に示す画面１１００を「商品Ｂ」に関するオブジェクトとして表示している。この画面１１００は、「海外旅行定期」という金融商品について、その全体像の把握、更なるプラン絞込みを顧客に行ってもらうための画面である。よって当該画面１１００は、主として顧客側に正対する向きで表示されることになる。行員は、この画面１１００を眺める顧客に対し、「海外旅行定期」なる金融商品の紹介を行っていく。顧客は自分に対して正対した見やすい画面で商品の説明を受けることができる。
【００５０】
この時、タッチパネル端末１１０は、「商品Ｂ」に関するオブジェクトに関する、提示対象者の属性情報が「顧客、行員」といったように複数種類あった場合（ｓ１０：Ｙｅｓ）、加速度センサー１１７から得られるタッチパネル１１６の姿勢変化によらず前記オブジェクトの表示方向を維持することとする（ｓ１１）。なお、１画面中に表示すべきオブジェクトが複数あり、これら各オブジェクトに関する表示方向がオブジェクト間で異なった場合、タッチパネル端末１１０は、加速度センサー１１７から得られるタッチパネル１１６の姿勢変化によらず前記オブジェクトの表示方向を維持するとしてもよい。
【００５１】
他方、オブジェクトに関する、提示対象者の属性情報が、例えば「行員」といったように１種類であった場合（ｓ１０：Ｎｏ）、加速度センサー１１７から得られるタッチパネル１１６の姿勢変化に応じて、オブジェクトの表示方向を所定角度回転させる（ｓ１２）。例えば、タッチパネル１１６の姿勢情報により、タッチパネル１１６の姿勢が縦置きから横置きに変化した場合、タッチパネル端末１１０は、これに応じて前記オブジェクトの表示方向をそれまでより９０度回転させる。なお、上述のように、回転角度は、９０度以外であっても構わない。特に、対面業務においては、１８０度回転が好適である。。こうしたオブジェクトの表示方向の回転制御は、オブジェクト表示を行ういずれのステップに際しても、その他の処理と並行して行うものとする。
【００５２】
前記「商品Ｂ」に関する画面１１００を閲覧した顧客は、閲覧した情報、例えば、購入金額と運用年数のマトリクス中にて所望利率の商品を選定する。この選定は、該当商品の表示を行っているオブジェクトへのタッチ動作でなされる。タッチパネル端末１１０は、前記オブジェクトへのタッチ動作を受けて、これを契機として表示されるべきオブジェクトを前記テーブル１２５から読み出して、その表示方向および表示位置の情報に基づいた表示を行う。図７の画面１１０の例では、金利０．０６％、金利０．０８％の各オブジェクトについてタッチがなされ、それに応じて「詳細を見る」というアイコンのオブジェクトが表示されている。
【００５３】
前記顧客がこの「詳細を見る」オブジェクトをタッチすると、タッチパネル端末１１０はこれを受けて、これを契機として表示されるべきオブジェクトとして、図８に示す画面１２００の画面データを前記テーブル１２５から読み出して、その表示方向および表示位置の情報に基づいた表示を行う。この画面１２００では、「商品Ｂ」のうち、金利が０．０６％および０．０８％の各商品に関する情報が顧客側に提示される。この画面１２００は、当然ながら正対している顧客のみならず、反対側から行員も閲覧している。よって、当該画面１２００なるオブジェクトについて、前記テーブル１２５において提示対象者の属性情報は「顧客、行員」と複数設定されている。従ってタッチパネル端末１１０は、タッチパネル１１６の姿勢変化によらずオブジェクトすなわち前記画面１２００を回転させることはない。また、この画面１２００においては、各商品の特徴と、想定した金額と期間で貯蓄額がいくらになるのかを表示している。
【００５４】
なお、前記画面１２００における所定オブジェクト、例えばヘッダ部分１２０１を行員が顧客側にドラッグすると、このヘッダ部分１２０１のドラッグ動作を契機として表示されるべきオブジェクトとして、図９に示す画面１３００の画面データを前記テーブル１２５から読み出して、その表示方向および表示位置の情報に基づいた表示を行う。この画面１３００は、行員が顧客情報の入力と確認を行う画面となる。よって行員のみが利用する画面であり、オブジェクトの表示方向は「逆」すなわち行員側に向いたものとなる。よって、当該画面１３００なるオブジェクトについて、前記テーブル１２５において提示対象者の属性情報は「行員」と１種類のみ設定されている。従ってタッチパネル端末１１０は、タッチパネル１１６の姿勢変化によってオブジェクトすなわち前記画面１３００を回転させることとなる。前記画面１３００で入力や確認を行う顧客情報としては、例えば、顧客からヒアリングするなどして得た該顧客の保有口座や具体的資金額の情報となる。
【００５５】
この画面１３００において、行員がヘッダ部分１３０１を行員側にドラッグした場合、画面１３００におけるヘッダ部分１３０１のドラッグ動作を契機として表示されるべきオブジェクトとして、図８に示した前記画面１２００の画面データを前記テーブル１２５から読み出して、図８の如く再表示する。
【００５６】
その後、前記顧客が前記画面１２００などを閲覧しつつ、購入商品を決定したとする。この場合、前記行員は、顧客から指定された購入商品のオブジェクト１４０１に対し、例えば、一定時間の長押し動作を行う。すると、タッチパネル端末１１０は、この長押し動作を検知し、当該動作を契機として表示されるべきオブジェクトとして、図１０に示すオブジェクト１４０２のデータを前記テーブル１２５から読み出して、その表示方向および表示位置の情報に基づいた表示を行う。図５に、こうしたオブジェクトへの所定動作による次オブジェクトの呼び出しと表示の処理について手順例を示す。
【００５７】
図１０に示す画面１４００の例では、「定期Ｂ」なる商品を示すオブジェクト１４０１に対して長押し動作がなされ（ｓ２０）、これに応じて、小さいカード上のオブジェクト１４０２が他の既存オブジェクト上に表示されている（ｓ２１）。表示順序の主従関係からみれば、前記オブジェクト１４０１が「主」であり、このオブジェクト１４０１に対する「長押し動作」があって、初めて表示されるのが「従」たるオブジェクト１４０２とも言える（こうしたオブジェクト間の主従関係についてはテーブル１２５に関して上述したとおりである）。
【００５８】
なお、当該画面１４００なるオブジェクトについて、前記テーブル１２５において提示対象者の属性情報は「顧客、行員」と複数設定されている。従ってタッチパネル端末１１０は、タッチパネル１１６の姿勢変化によらずオブジェクトすなわち前記画面１４００を回転させることはない。
【００５９】
また、タッチパネル端末１１０は、上記オブジェクト１４０２の表示と同時に、業務選択オブジェクト１４０３〜１４０６を同様にテーブル１２５から呼び出して表示させる（ｓ２２）。或いは、画面１４００における所定領域への長押し動作を受けて業務選択オブジェクト１４０３〜１４０６の表示を行うとしてもよい。この業務選択オブジェクト１４０３〜１４０６は、前記オブジェクト１４０２すなわち金融商品について行う業務処理について示したオブジェクトである。また、この業務選択オブジェクト１４０３〜１４０６は、それまで表示されていたオブジェクトらを透過させた半透明の状態で表示される。
【００６０】
この時、前記行員は．顧客が決めた購入商品のオブジェクト、すなわち前記オブジェクト１４０２を、実施したい行為名の記された、例えば業務選択オブジェクト１４０３にドラッグしたとする。タッチパネル端末１１０は、前記オブジェクト１４０２の、前記業務選択オブジェクト１４０３へのドラッグ動作を検知し（ｓ２３）、該当金融商品に対する該当業務に応じた処理を実施する。前記業務選択オブジェクト１４０３は「申込み情報入力」なる業務に対応したものであり、タッチパネル端末１１０は図１１に示す画面１５００に応じたオブジェクトをテーブル１２５から読み出して上記同様に表示する（ｓ２４）。
【００６１】
図１１に示す画面１５００は、「申込み情報入力」画面であり、前記顧客が選択した購入商品について、契約に必要な具体的情報の入力を行員が実行し、該当箇所の確認を顧客が行うといった利用がなされる。図１１に例示した画面１５００では、行員が入金金額を入力している状態となっている。この画面１５００においては、行員が入金金額など各種情報を入力するためのオブジェクト１５０１、および、入力情報の種類を変更できるスクロールバーを示すオブジェクト１５０２が行員側を向いて表示されている。一方、前記オブジェクト１５０２で行員が選んだ入力情報の種類に対応して、前記オブジェクト１５０１での入力内容を表示させる。ここでのオブジェクト１５０２での入力内容の表示とは、いわゆるスクロールバーのように表示領域をスクロールさせることが含まれる。但し、タッチにより表示をスクロールさせる構成も本実施形態に含まれる。また、オブジェクト１５０２では、入力項目として大項目レベルの表示を対象にしている。また、入力項目のフォーカス移動（いずれの項目がアクティブか）については、移動ボタン（「次へ」や「前へ」といったもの）ないし入力項目をタッチして行うことも可能である。なお、入力結果表示用のオブジェクト１５０３は、顧客側を向いて表示されている。図の例では、オブジェクト１５０１で入力された入金金額の値が、オブジェクト１５０３の入金金額欄に表示されている。つまり、タッチパネル端末１１０は、図５のフロー図に示すとおり、オブジェクト１５０２で入力情報の指定を受け付けて（ｓ３０）、この指定に応じた情報に関して、オブジェクト１５０１にて行員からの入力を受け付けて（ｓ３１）、ここで受け付けた値を、オブジェクト１５０３の該当欄に設定して表示させる処理（ｓ３２）を実行するのである。当然ながらタッチパネル端末１１０は、オブジェクト１５０２で受け付けた入力情報の指定が新しくなる毎に、この指定に応じた情報入力用のオブジェクト１５０１を新たに呼び出し、この新しいオブジェクト１５０１にて行員からの入力を受け付けることなる。またタッチパネル端末１１０は、ここで受け付けた値を、新たな指定に対応したオブジェクト１５０３の該当欄に設定して表示させる。
【００６２】
前記画面１５００において、各入力項目が入力されると、「重要項目説明へ」（図示せず）といった次画面へ遷移するためのボタンを表示し、これへのタップを受け付ける。この場合、タッチパネル端末１１０はこれを検知して、図１２に示す画面１６００のオブジェクトを呼び出して上記同様に表示する。なお、ここでは、「重要項目説明へ」の特別なボタンとしたが、各入力項目に対する入力がされた場合に、「次へ」ボタンがタップされた場合、上述の処理を行うようにしてもよい。図１２に示す画面１６００は、これまでの処理で顧客が所望する購入商品に関して決定してきた契約内容、重要事項の確認を行う画面となる。契約内容や重要事項の読み合わせを行う画面とも言える。
【００６３】
この場合、例えば図５のフローに示すような処理をタッチパネル端末１１０は実行することとなる。まずタッチパネル端末１１０は、前記顧客について決定されてきた購入商品に関する契約内容、重要事項について、それらのデータを保持している記憶手段１１１（ないしサーバ１００の記憶手段１０１）から読み出して、上記オブジェクトら同様に、表示の方向、位置についてテーブル１２５における設定に応じてタッチパネル１１６の画面上に表示する（ｓ４０）。図１２の例では、「定期Ｂ」に関する重要事項のうち、「預金保険制度の適用」に関して行員側と顧客側の双方に同じ内容の情報＝オブジェクト１６０１、１６０２を表示している。
【００６４】
タッチパネル端末１１０は、前記表示している重要事項の情報すなわちオブジェクト１６０１の所定箇所１６１１に対する、タッチパネル１１６を介した行員の表示属性変化の指示を検知する（ｓ４１）。例えば、重要事項のうち行員が口頭で読み上げている箇所１６１１について行員自身がなぞる動作が、「行員の表示属性変化の指示」として想定できる。
【００６５】
その場合、タッチパネル端末１１０は、前記指示の対象であり画面表示中の前記オブジェクト１６０１の所定箇所１６１１に関し、例えばハイライト処理を行って表示属性を変化させ、このハイライト処理を前記オブジェクト１６０２における該当箇所１６１２についても同様に実施する（ｓ４２）。こうした、いわゆる聴覚的、視覚的な読み合わせがなされた結果、顧客としては該当金融商品に関する契約内容や重要事項について理解を確実なものとしやすい。行員ないし顧客は、こうした表示属性の変化を伴う読み合わせにより双方で確認できた内容について、該当オブジェクト１６１１ないしオブジェクト１６１２に付帯するインターフェイスたるチェックボックス１６１３にチェックを入れる。タッチパネル端末１１０では、例えば、行員側のチェックボックスでのチェック動作を検知したら、顧客側のチェックボックスにもチェックマークを入れる。このように、各チェックマークが入れられると、次項目への表示を遷移する
こうした作業が繰り返し実行され、例えば、重要事項それぞれの確認が終了すると（各チェックボックスにチェックが入ると）、タッチパネル端末１１０は、これを契機に「次へ」ボタンのオブジェクトをテーブル１２５から呼び出して、行員側の所定領域にて表示させる。そしてタッチパネル端末１１０は、図１３に例示するような画面１７００を表示し、契約内容や重要事項の説明を経た前記顧客に最終的な同意確認を行う。この画面において前記顧客は、例えば、顧客自身に予め設定されている暗証番号を入力する。この画面で正しい暗唱番号が入力された場合、タッチパネル端末１１０は、所定のクロージング業務（例えば、行員による最終的な契約締結時の処理など）に応じた画面遷移を実行し、処理を終了することとなる。
【００６６】
以上、本発明を実施するための最良の形態などについて具体的に説明したが、本発明はこれに限定されるものではなく、その要旨を逸脱しない範囲で種々変更可能である。
【００６７】
こうした本実施形態によれば、利用者間で異なる形態による情報提示を効率良く実行することが可能となる。
【００６８】
本明細書の記載により、少なくとも次のことが明らかにされる。すなわち、前記情報提示システムにおいて、出力手段の姿勢を検知する姿勢検知手段を備えており、前記演算手段は、前記姿勢検知手段から出力手段の姿勢情報を取得し、出力手段の姿勢変化に応じて前記オブジェクトの表示方向を所定角度回転させる処理を実行する、としてもよい。
【００６９】
また、前記情報提示システムにおいて、前記記憶手段は、出力手段にて画面表示する各オブジェクトについて、提示対象者の属性情報を更に格納しており、前記演算手段は、前記特定したオブジェクトの表示方向が該当オブジェクト間で異なった場合、ないし、前記特定したオブジェクトに関する提示対象者の属性情報が複数種類あった場合、前記出力手段の姿勢変化によらず前記オブジェクトの表示方向を維持する、としてもよい。
【００７０】
また、前記情報提示システムにおいて、前記記憶手段は、出力手段にて画面表示する各オブジェクトについて、提示対象者の属性情報を更に格納しており、前記演算手段は、前記特定したオブジェクトの表示方向が該当オブジェクト間で同一であった場合、ないし、前記特定したオブジェクトに関する提示対象者の属性情報が１種類であった場合に、前記出力手段の姿勢変化に応じて前記オブジェクトの表示方向を所定角度回転させる、としてもよい。
【００７１】
また、前記情報提示システムにおいて、前記演算手段は、前記特定した各オブジェクトの表示用データを記憶手段より読み出し、出力手段の１画面中で、各オブジェクトの表示位置において該当表示方向に向けた各オブジェクトの表示を行い、該表示したオブジェクトないし前記画面中の所定領域に対する入力手段を介したユーザの指示を検知した場合、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の１画面中で、各オブジェクトの表示位置において該当表示方向に向けた各オブジェクトの表示を行う処理とを実行する、としてもよい。
【００７２】
また、前記情報提示システムにおいて、前記演算手段は、前記特定した各オブジェクトの表示用データを記憶手段より読み出し、出力手段の１画面中で、各オブジェクトの表示位置において該当表示方向に向けた各オブジェクトの表示を行い、該表示しているオブジェクトの所定箇所に対する、入力手段を介したユーザの表示属性変化の指示を検知した場合、前記指示の対象であり、１画面中で表示中の各オブジェクトの所定箇所に関し、その表示属性を各オブジェクトを跨って同様に変化させる、としてもよい。
【符号の説明】
【００７３】
１０  情報提示システム
１００  サーバ
１０１、１１１  記憶手段
１０２、１１２  プログラム
１０３、１１３  メモリ
１０４、１１４  演算手段
１０５、１１５  通信手段
１１０  タッチパネル端末
１１６  タッチパネル（入力手段および出力手段）
１１７  加速度センサー（姿勢検知手段）
１１８  生体情報センサー
１２５  テーブル
１２６  認証用生体情報
１４０  ネットワーク
【図１】
0005628073.tif 000002
【図２】
0005628073.tif 000003
【図３】
0005628073.tif 000004
【図４】
0005628073.tif 000005
【図５】
0005628073.tif 000006
【図６】
0005628073.tif 000007
【図７】
0005628073.tif 000008
【図８】
0005628073.tif 000009
【図９】
0005628073.tif 000010
【図１０】
0005628073.tif 000011
【図１１】
0005628073.tif 000012
【図１２】
0005628073.tif 000013
【図１３】
0005628073.tif 000014